(57)【要約】【課題】光の演出効果で観察者に他にはない感動を引き起こすことができる宝飾箱を提供する。【解決手段】宝飾箱１１は、下箱体１２と、下箱体１２に支持されて、青色蛍光性を有するダイヤモンド２３と、下箱体１２にヒンジで開閉自在に連結されて、閉じ位置で下箱体１２に合わさってダイヤモンド２３を隠し、開き位置でダイヤモンド２３を露出する上箱体１３と、下箱体１２または上箱体１３に支持されて、上箱体１３が開き位置に達して予め決められた時間が経過するとダイヤモンド２３に向かって紫外線を照射する光源とを備える。【選択図】図２
2019195407.tif 000002
【特許請求の範囲】
【請求項１】
下箱体と、
前記下箱体に支持されて、青色蛍光性を有するダイヤモンドと、
前記下箱体にヒンジで開閉自在に連結されて、閉じ位置で前記下箱体に合わさって前記ダイヤモンドを隠し、開き位置で前記ダイヤモンドを露出する上箱体と、
前記下箱体または前記上箱体に支持されて、前記上箱体が前記開き位置に達して予め決められた時間が経過すると前記ダイヤモンドに向かって紫外線を照射する光源と、
を備えることを特徴とする宝飾箱。
【請求項２】
請求項１に記載の宝飾箱において、前記光源は、可視光線以外の光線を放出することを特徴とする宝飾箱。
【請求項３】
請求項２に記載の宝飾箱において、前記光源は、照射域全域で前記下箱体および前記上箱体によって遮られる指向性を有することを特徴とする宝飾箱。
【発明の詳細な説明】
【技術分野】
【０００１】
本発明は、下箱体と、下箱体にヒンジで開閉自在に連結される上箱体とを備える宝飾箱に関する。
【背景技術】
【０００２】
特許文献１および特許文献２は、指輪やその他の宝飾品を支持する下箱体と、下箱体にヒンジで開閉自在に連結されて、閉じ位置で下箱体に合わさって宝飾品を隠し、開き位置で宝飾品を露出する上箱体とを備えるアクセサリーボックスを開示する。上箱体には、宝飾品に向かって可視光線を照射するランプが取り付けられる。ランプには、上箱体が開くとランプに電流を供給し、上箱体が閉じると電流の供給を停止するスイッチが接続される。
【先行技術文献】
【特許文献】
【０００３】
【特許文献１】特開２００５−２４５９１２号公報
【特許文献２】特許第４６２５４０９号
【発明の概要】
【発明が解決しようとする課題】
【０００４】
特許文献１および特許文献２では、下箱体に支持されるアクセサリーに一般のランプから可視光線が照射される。そして、一般の環境では、宝飾箱の周囲には自然光や電灯の可視光線が溢れることから、期待されるように光の演出効果は作り出されることができなかった。
【０００５】
本発明は、上記実状に鑑みてなされたもので、光の演出効果で観察者に他にはない感動を引き起こすことができる宝飾箱を提供することを目的とする。
【課題を解決するための手段】
【０００６】
本発明の第１側面によれば、下箱体と、前記下箱体に支持されて、青色蛍光性を有するダイヤモンドと、前記下箱体にヒンジで開閉自在に連結されて、閉じ位置で前記下箱体に合わさって前記ダイヤモンドを隠し、開き位置で前記ダイヤモンドを露出する上箱体と、前記下箱体または前記上箱体に支持されて、前記上箱体が開き位置に達して予め決められた時間が経過すると前記ダイヤモンドに向かって紫外線を照射する光源とを備える宝飾箱は提供される。
【０００７】
第２側面によれば、第１側面の構成に加えて、前記光源は、可視光線以外の光線を放出する。
【０００８】
第３側面によれば、第２側面の構成に加えて、前記光源は、照射域全域で前記下箱体および前記上箱体によって遮られる指向性を有する。
【発明の効果】
【０００９】
第１側面によれば、上箱体が開き位置に達すると、ダイヤモンドは露出する。可視光（自然光や電灯の光）の下でダイヤモンドは透明な輝きを放つ。上箱体が開き位置に達して予め決められた時間が経過すると、光源からダイヤモンドに紫外線は照射される。ダイヤモンドは透明から青色に変色する。こうして上箱体の開放動作に応じて光の演出効果は作り出される。この演出効果で宝飾箱の観察者に他にはない感動を引き起こすことができる。
【００１０】
第２側面によれば、光源から放出される光線はダイヤモンドの観察者に視認されないので、ダイヤモンドの青色蛍光だけが浮かび上がり、演出効果は一層高められることができる。
【００１１】
第３側面によれば、ダイヤモンドの蛍光で青い可視光に変化した光線以外、紫外線は宝飾箱の外側に漏れないので、宝飾箱の観察者は紫外線の影響に曝されなくて済む。
【図面の簡単な説明】
【００１２】
【図１】本発明の一実施形態に係る宝飾箱の外観を示す斜視図である。
【図２】上箱体が開放された際に宝飾箱の構造を概略的に示す斜視図である。
【図３】ヒンジの構成を概略的に示す拡大斜視図である。
【図４】図１の４−４線に沿った垂直断面図である。
【図５】図２の５−５線に沿った垂直断面図である。
【図６】第１具体例に係る電子回路の回路図である。
【図７】第２具体例に係る電子回路の回路図である。
【発明を実施するための形態】
【００１３】
以下、添付図面を参照しつつ本発明の一実施形態を説明する。
【００１４】
図１は本発明の一実施形態に係る宝飾箱１１を概略的に示す。宝飾箱１１は、下箱体１２と、下箱体１２に重なって下箱体１２とともに直方体を形成する上箱体１３とを備える。下箱体１２は、四角い輪郭の底板１４ａ、および、底板１４ａの４辺から垂直に立ち上がる４つの側壁１４ｂを有する硬質の樹脂成形体と、樹脂成形体の外面に貼り付けられて、樹脂成形体に装飾を施す貼り紙１５とを有する。上箱体１３は、四角い輪郭の天板１６ａ、および、天板１６ａの４辺から下降し下端で下箱体１２の側壁１４ｂの上端に合わさって宝飾箱１１の側壁を形成する側壁１６ｂを有する硬質の樹脂成形体と、樹脂成形体の外面に貼り付けられて、樹脂成形体に装飾を施す貼り紙１７とを有する。貼り紙１５、１７には例えばスエード調や布質のものが用いられればよい。
【００１５】
図２に示されるように、下箱体１２には側壁１４ｂで囲まれた直方体の空間に緩衝材１８が嵌め込まれる。緩衝材１８は、例えば、スポンジと、スポンジを包み込む布材１８ａとで形成される。緩衝材１８にはスリット１９が形成される。スリット１９には例えば指輪２１が差し込まれる。緩衝材１８の弾性力の働きで指輪２１はスリット１９内に保持される。
【００１６】
指輪２１は、例えば指の太さに応じた径を有するプラチナ製の環部材２２と、環部材２２の台座に固定されるダイヤモンド粒２３とを備える。ダイヤモンド粒２３は１つであっても複数であってもよい。ダイヤモンド粒２３はストロング以上の青色蛍光性（ストロングブルーまたはベリーストロングブルー）を有する。ダイヤモンド粒２３は、可視光（例えば自然光や電灯の光）の下で透明な輝きを放つ一方で、紫外線の下では青色に輝く。こうしてダイヤモンド粒２３は下箱体１２に支持される。
【００１７】
上箱体１３には側壁１６ｂで囲まれた直方体の空間内に内張材２４が嵌め込まれる。内張材２４は、宝飾箱１１の天井面を形成する四角い輪郭の化粧天板２４ａと、化粧天板２４ａの４辺からそれぞれ連続して、４つの側壁１６ｂに内側から重ねられる４枚の内張板２４ｂとを備える。ここでは、４枚の内張板２４ｂは側壁１６ｂの内面に接着されず、内張材２４は上箱体１３に対して着脱自在に収容される。
【００１８】
図３に示されるように、上箱体１３は下箱体１２にヒンジ２６で開閉自在に連結される。ヒンジ２６は、上箱体１３の１側壁１６ｂに内側から重ねられて固定され、複数の管体２７ａを有する第１羽根２７と、下箱体１２の側壁１４ｂに内側から重ねられて固定され、第１羽根２７の管体２７ａに互い違いに直列に配置される複数の管体２８ａを有する第２羽根２８と、第１羽根２７の管体２７ａおよび第２羽根２８の管体２８ａに共通に挿入される１本のヒンジピン２９とを備える。第１羽根２７および第２羽根２８はヒンジピン２９回りで相対回転する。
【００１９】
ヒンジ２６には板ばね３１が接続される。図４に示されるように、板ばね３１は、ヒンジピン２９の軸心に平行に母線を維持する湾曲体に形成される。板ばね３１の両端はヒンジピン２９から離れた位置で第１羽根２７および第２羽根２８にそれぞれ結合される。上箱体１３の下端が下箱体１２の上端に合わさる閉じ位置では、第１羽根２７および第２羽根２８は１つの面に沿って並んで配置され、板ばね３１の中間域はヒンジピン２９から内側に最も遠ざかる。上箱体１３が閉じ位置から開き位置にヒンジピン２９回りで変位するにつれて、第１羽根２７および第２羽根２８の間で外側の角度は狭まっていき、板ばね３１の中間域はヒンジピン２９に接近する。図５に示されるように、板ばね３１の中間域がヒンジピン２９に接触すると、下箱体１２に対してヒンジピン２９回りに上箱体１３の変位は規制され、上箱体１３の開き位置が規定される。ヒンジピン２９回りで規定の中間開度よりも開度が小さいと、板ばね３１は閉じ位置に向かって上箱体１３に駆動力を作用する。開度が規定の中間開度より大きいと、板ばね３１は開き位置に向かって上箱体１３に駆動力を作用する。ヒンジ２６および板ばね３１はヒンジカバー３２で覆われる。ヒンジカバー３２は例えば緩衝材１８の布材１８ａと同等な素材から形成される。
【００２０】
上箱体１３の化粧天板２４ａには予め決められた指向性Ｄｖに則って紫外線を放出するＬＥＤランプ（光源）３３が埋め込まれる。ＬＥＤランプ３３は、例えば長波長ＵＶ―Ａ（３１５ｎｍ〜４００ｎｍの波長）の光線を放出する。望ましくは、ＬＥＤランプ３３は可視光線以外の光線のみを放出する。望ましくは、ＬＥＤランプ３３は狭い指向性Ｄｖを有する。ＬＥＤランプ３３は、照射域全域で下箱体によって遮られる指向性Ｄｖを有する。
【００２１】
ＬＥＤランプ３３には、樹脂成形体の天板１６ａと化粧天板２４ａとの間に区画される電池室３４に収容される電池３５が接続される。電池３５には例えば薄型のボタン電池が用いられればよい。ここでは、例えば複数のボタン電池が直列に接続される。ＬＥＤランプ３３には電池３５から電流が供給される。
【００２２】
ヒンジ２６および板ばね３１には、ＬＥＤランプ３３に対して電流の供給および切断を制御するスイッチ３６が組み込まれる。板ばね３１の中間域には、板ばね３１から電気的に絶縁されながら第１接点３７が固着される。ヒンジ２６は、第１接点３７と協働してスイッチ３６を構成する第２接点として機能する。したがって、ヒンジ２６は導電材から形成される。第１接点３７は例えば銅といった導電材から形成される。第１接点３７および板ばね３１の間には例えば絶縁体が挟まれる。第１接点３７は、板ばね３１でヒンジピン２９に向き合う面に配置される。第１接点３７は、上箱体１３の開き位置でヒンジ２６に接触し、開き位置以外ではヒンジ２６から離隔する。
【００２３】
図６に示されるように、宝飾箱１１では、ＬＥＤランプ３３、電池３５およびスイッチ３６を含む第１具体例に係る電子回路３８が構築される。電子回路３８では電池３５に直列にＬＥＤランプ３３のＬＥＤ素子が接続される。ＬＥＤランプ３３には直列にタイマー限時ノーマリーオープン接点（以下「タイマー接点」）３９が接続される。ＬＥＤランプ３３およびタイマー接点３９には並列にスイッチ３６およびタイマー４１が接続される。スイッチ３６が導通すると、タイマー４１が動作し、予め決められた時間の経過後にタイマー接点３９が閉じる。その結果、ＬＥＤランプ３３は通電する。スイッチ３６が開くと、タイマー４１は復帰し、タイマー接点３９が開放される。その結果、ＬＥＤランプ３３は消える。
【００２４】
電子回路３８では、ＬＥＤランプ３３、タイマー接点３９およびタイマー４１は例えば共通のプリント基板上に実装されてもよい。スイッチ３６の第１接点３７やヒンジ２６の第１羽根２７または第２羽根２８、電池３５などは例えばビニル被膜線といった電線でプリント基板上の配線パターンに電気的に接続されればよい。プリント基板は例えば電池室３４に収容されればよい。
【００２５】
次に宝飾箱１１の作用を説明する。図１に示されるように、上箱体１３が閉じ位置に位置すると、上箱体１３の下縁は下箱体１２の上縁に合わさる。上箱体１３は指輪２１に覆い被さってダイヤモンド粒２３を隠す。宝飾箱１１の観察者は閉じた宝飾箱１１の外観を視認する。ダイヤモンド粒２３は観察者の視界から外れる。
【００２６】
このとき、図４に示されるように、板ばね３１の中間域はヒンジピン２９から最も遠ざかる。したがって、スイッチ３６の第１接点３７はヒンジ２６すなわち第２接点から離れる。電子回路３８のスイッチ３６は切断される。
【００２７】
観察者が板ばね３１の弾性力に抗してヒンジピン２９回りで開き位置に向かって上箱体１２を動かすと、上箱体１３の下端は下箱体１２の上端から離れていく。上箱体１３および下箱体１２の隙間からダイヤモンド粒２３に向かって可視光線は差し込む。ダイヤモンド粒２３は徐々に露出していく。ダイヤモンド粒２３は可視光線の照射に曝される。したがって、ダイヤモンド粒２３は透明な輝きを放つ。
【００２８】
上箱体１３の開度が規定の中間開度よりも増大すると、板ばね３１は開き位置に向かって上箱体１３を駆動する。その結果、上箱体１３は最大開度の開き位置に到達する。板ばね３１の弾性力に応じて上箱体１３は開き位置に保持される。図２に示されるように、上箱体１３に遮られずに観察者はダイヤモンド粒２３を視認することができる。ダイヤモンド粒２３は可視光（自然光や電灯の光）の下で透明な輝きを放つ。
【００２９】
上箱体１３が開き位置に到達すると、図５に示されるように、板ばね３１の弾性力を受けて板ばね３１の中間域はヒンジ２９に押し当てられる。こうして第１接点３７はヒンジ２６すなわち第２接点に接触する。電子回路３８のスイッチ３６は導通する。スイッチ３６の導通（オン動作）から予め決められた時間が経過すると、ＬＥＤランプ３３は点灯する。ＬＥＤランプ３３はダイヤモンド粒２３に紫外線を照射する。ダイヤモンド粒２３は青色に輝く。
【００３０】
上箱体１３の開放後しばし透明に輝くダイヤモンド粒２３が観察された後に、ダイヤモンド粒２３は透明から青色に変色する。こうして上箱体１３の開放動作に応じて光の演出効果は作り出される。この演出効果で宝飾箱１１の観察者に他にはない感動を引き起こすことができる。スイッチ３６が切断されると、ＬＥＤランプ３３は消える。
【００３１】
ここでは、ＬＥＤランプ３３は可視光線以外の光線を放出する。ＬＥＤランプ３３から放出される光線はダイヤモンド粒２３の観察者に視認されないので、ダイヤモンド粒２３の青色蛍光だけが浮かび上がり、演出効果は一層高められることができる。
【００３２】
ＬＥＤランプ３３は、照射域全域で下箱体１２によって遮られる指向性Ｄｖを有する。ダイヤモンド粒２３の蛍光で青い可視光に変化した光線以外、紫外線は宝飾箱１１の外側に漏れないので、宝飾箱１１の観察者は紫外線の影響に曝されなくて済む。
【００３３】
図７は第２具体例に係る電子回路の構成を概略的に示す。電子回路４３は、電池３５に接続されるＮＰＮトランジスターＴＲ１を備える。電池３５のプラス端子とＮＰＮトランジスターＴＲ１のコレクターＣとの間にＬＥＤランプ３３のＬＥＤ素子は接続される。電池３５のプラス端子とＮＰＮトランジスターＴＲ１のベースＢとの間にはスイッチ３６および第１抵抗Ｒ１が直列に接続される。ＮＰＮトランジスターＴＲ１のベースＢと電池３５のマイナス端子との間にはキャパシターＣ１が接続される。第１抵抗Ｒ１およびキャパシターＣ１と並列に第２抵抗Ｒ２は接続される。ＮＰＮトランジスターＴＲ１のエミッターＥは電池３５のマイナス端子に接続される。この電子回路４３では、スイッチ３６が導通すると、時定数回路Ｒ１、Ｃ１の働きでＮＰＮトランジスターＴＲ１のベースＢに印加される電圧は徐々に上昇する。ＮＰＮトランジスターＴＲ１のベースＢで電圧が規定値に達すると、コレクターＣに電流は流入する。その後、規定の時間が経過すると、ＮＰＮトランジスターＴＲ１のベースＢに印加される電圧は一定に維持される。スイッチ３６が切断されると、キャパシターＣ１の電荷は第２抵抗Ｒ２を通じて放電される。
【００３４】
電子回路４３では、ＬＥＤランプ３３、ＮＰＮトランジスターＴＲ１、キャパシターＣ１並びに第１および第２抵抗Ｒ１、Ｒ２は例えば共通のプリント基板上に実装されてもよい。スイッチ３６の第１接点３７やヒンジ２６の第１羽根２７または第２羽根２８、電池３５などは例えばビニル被膜線といった電線でプリント基板上の配線パターンに電気的に接続されればよい。プリント基板は例えば電池室３４に収容されればよい。
【００３５】
第２具体例に係る電子回路４３では、上箱体１３が開き位置に到達してスイッチ３６が導通してから、スイッチ３６の導通（オン動作）後、予め決められた時間の経過を待って電池３５からＮＰＮトランジスターＴＲ１のベースＢに規定値の電圧が印加される。ＮＰＮトランジスターＴＲ１のコレクターＣに電流が流入し、ＬＥＤランプ３３は点灯し始める。したがって、宝飾箱１１の観察者は、上箱体１３の開放後しばし透明に輝くダイヤモンド粒２３を観察することができる。
【００３６】
時定数回路Ｒ１、Ｃ１の働きでＮＰＮトランジスターＴＲ１のベースＢに印加される電圧は徐々に上昇する。ＬＥＤランプ２９に流通する電流量は徐々に増加していく。ＬＥＤランプ２９からダイヤモンド粒２３に照射される紫外線の光量は増加していく。ダイヤモンド粒２３は徐々に透明から青色に変色していく。こうして上箱体１３の開放動作に応じて光の演出効果は作り出される。この演出効果で宝飾箱１１の観察者に他にはない感動を引き起こすことができる。スイッチ３６が切断されると、キャパシターＣ１の電荷は第２抵抗Ｒ２を通じて放電される。
【００３７】
なお、ＬＥＤランプ３３は上箱体１３に代わって下箱体１２に支持されてもよく、その場合には、ＬＥＤランプ３３は、照射域全域で上箱体１３によって遮られる指向性Ｄｖを有すればよい。その他、ダイヤモンド粒２３は、ネックレスのチェーンを形成する複数の台座に搭載されてもよい。台座は例えばプラチナや金といった金属材から成形される。個々の台座には１個のダイヤモンド粒２３が固定されてもよく複数のダイヤモンド粒２３が固定されてもよい。その他、ダイヤモンド粒２３は、ペンダントやブレスレット、ピアス、リング、アンクレット上にあしらわれてもよい。ダイヤモンド粒は均一な大きさでもよく大小混ぜ込まれてもよい。
【００３８】
前述の宝飾箱１１では、スイッチ３６に、上箱体１３が開き位置に達すると上箱体１３によって押し下げられるプランジャーを有するタクトスイッチが用いられてもよい。第１具体例に係る電子回路３８や第２具体例に係る電子回路４３は前述と同様な機能を実現する限り他の構成の電子回路に置き換えられてもよい。また、スイッチ３６の動作は、前述のように開き位置に位置する上箱体１３に連動するだけでなく、閉じ位置に位置する上箱体１３に連動してもよい。その他、電子回路３８、４３の機能はマイクロプロセッサー（ＭＰＵ）で実行されるソフトウェアで実現されてもよい。
【符号の説明】
【００３９】
１１…宝飾箱、１２…下箱体、１３…上箱体、２３…ダイヤモンド（ダイヤモンド粒）、２６…ヒンジ、３３…光源（ＬＥＤランプ）。
【図１】
2019195407.tif 000003
【図２】
2019195407.tif 000004
【図３】
2019195407.tif 000005
【図４】
2019195407.tif 000006
【図５】
2019195407.tif 000007
【図６】
2019195407.tif 000008
【図７】
2019195407.tif 000009
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
下箱体と、
前記下箱体に支持されて、青色蛍光性を有するダイヤモンドと、
前記下箱体にヒンジで開閉自在に連結されて、閉じ位置で前記下箱体に合わさって前記ダイヤモンドを隠し、開き位置で前記ダイヤモンドを露出する上箱体と、
前記下箱体または前記上箱体に支持されて、前記上箱体が前記開き位置に達した後に予め決められた時間が経過すると前記ダイヤモンドに向かって紫外線を照射する光源と、
を備えることを特徴とする宝飾箱。
【請求項２】
請求項１に記載の宝飾箱において、前記下箱体に嵌め込まれて、表面に布材を有する緩衝材を備え、前記光源は、前記紫外線を含む透明な光線を放出することを特徴とする宝飾箱。
【請求項３】
請求項２に記載の宝飾箱において、前記光源は、照射域全域で前記下箱体および前記上箱体によって遮られる指向性を有することを特徴とする宝飾箱。
【手続補正２】
【補正対象書類名】明細書
【補正対象項目名】０００７
【補正方法】変更
【補正の内容】
【０００７】
第２側面によれば、第１側面の構成に加えて、前記下箱体に嵌め込まれて、表面に布材を有する緩衝材を備え、前記光源は、前記紫外線を含む透明な光線を放出する。
【手続補正３】
【補正対象書類名】明細書
【補正対象項目名】００１０
【補正方法】変更
【補正の内容】
【００１０】
第２側面によれば、光源からダイヤモンドに向かって透明な光線が照射されるので、布材に青色のスポットは生じない。光源から放出される光線はダイヤモンドの観察者に視認されないので、ダイヤモンドの青色蛍光だけが浮かび上がり、演出効果は一層高められることができる。
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
下箱体と、
前記下箱体に支持されて、青色蛍光性を有するダイヤモンドと、
前記下箱体にヒンジで開閉自在に連結されて、閉じ位置で前記下箱体に合わさって前記ダイヤモンドを隠し、開き位置で前記ダイヤモンドを露出する上箱体と、
前記下箱体および前記上箱体に接続されて、前記開き位置に向かって前記上箱体を駆動するばね部材と、
前記下箱体または前記上箱体に支持されて、前記上箱体が前記開き位置に達した後に予め決められた時間が経過すると前記ダイヤモンドに向かって紫外線を照射する光源と、
を備えることを特徴とする宝飾箱。
【請求項２】
請求項１に記載の宝飾箱において、前記光源は、徐々に光量を増加させながら前記ダイヤモンドに前記紫外線を照射することを特徴とする宝飾箱。
【請求項３】
請求項１または２に記載の宝飾箱において、前記下箱体に嵌め込まれて、表面に布材を有する緩衝材を備え、前記光源は、前記紫外線を含む透明な光線を放出することを特徴とする宝飾箱。
【手続補正２】
【補正対象書類名】明細書
【補正対象項目名】０００６
【補正方法】変更
【補正の内容】
【０００６】
本発明の第１側面によれば、下箱体と、前記下箱体に支持されて、青色蛍光性を有するダイヤモンドと、前記下箱体にヒンジで開閉自在に連結されて、閉じ位置で前記下箱体に合わさって前記ダイヤモンドを隠し、開き位置で前記ダイヤモンドを露出する上箱体と、前記下箱体および前記上箱体に接続されて、前記開き位置に向かって前記上箱体を駆動するばね部材と、前記下箱体または前記上箱体に支持されて、前記上箱体が開き位置に達して予め決められた時間が経過すると前記ダイヤモンドに向かって紫外線を照射する光源とを備える宝飾箱は提供される。
【手続補正３】
【補正対象書類名】明細書
【補正対象項目名】０００７
【補正方法】変更
【補正の内容】
【０００７】
第２側面によれば、第１側面の構成に加えて、前記光源は、徐々に光量を増加させながら前記ダイヤモンドに前記紫外線を照射する。
【手続補正４】
【補正対象書類名】明細書
【補正対象項目名】０００８
【補正方法】変更
【補正の内容】
【０００８】
第３側面によれば、第２側面の構成に加えて、宝飾箱は、前記下箱体に嵌め込まれて、表面に布材を有する緩衝材を備え、前記光源は、前記紫外線を含む透明な光線を放出する。
【手続補正５】
【補正対象書類名】明細書
【補正対象項目名】０００９
【補正方法】変更
【補正の内容】
【０００９】
第１側面によれば、上箱体が開き位置に達すると、ダイヤモンドは露出する。可視光（自然光や電灯の光）の下でダイヤモンドは透明な輝きを放つ。上箱体が開き位置に達して予め決められた時間が経過すると、光源からダイヤモンドに紫外線は照射される。ダイヤモンドは透明から青色に変色する。こうして上箱体の開放動作に応じて光の演出効果は作り出される。この演出効果で宝飾箱の観察者に他にはない感動を引き起こすことができる。宝飾箱には、開き位置に向かって上箱体を駆動するばね部材が設置されるので、閉じ位置および開き位置の中間位置でダイヤモンドが変色し始めることは防止されることができる。
【手続補正６】
【補正対象書類名】明細書
【補正対象項目名】００１０
【補正方法】変更
【補正の内容】
【００１０】
第２側面によれば、ダイヤモンドは徐々に透明から青色に変色していく。ダイヤモンドの観察者は変色の過程をつぶさに目の当たりにする。演出効果は一層高められることができる。
【手続補正７】
【補正対象書類名】明細書
【補正対象項目名】００１１
【補正方法】変更
【補正の内容】
【００１１】
第３側面によれば、光源からダイヤモンドに向かって透明な光線が照射されるので、布材に青色のスポットは生じない。光源から放出される光線はダイヤモンドの観察者に視認されないので、ダイヤモンドの青色蛍光だけが浮かび上がり、演出効果は一層高められることができる。